(57)【要約】    【課題】  既存の販売系列の維持、代替品との置換、構成比較が可能なコンピュータシステム構成装置及び構成方法を提供すること。    【解決手段】  記録部（１３）にコンピュータシステムを構成する部品情報とメーカ情報とを記録し、ＣＰＵ（１１）が、販売会社のＰＣ（５又は６）から、部品の仕様を指定する情報とメーカを指定する情報とを含む第１の情報を受信し、部品情報を用いて、第１の情報に合致するコンピュータシステム構成情報を決定し、その構成情報を販売会社のＰＣ（５又は６）に送信して第１の情報に合致するコンピュータシステムのうち、見積対象のコンピュータシステムを指定する情報と見積依頼先メーカとを指定する情報とを含む第２の情報を受信し、メーカの担当者宛てに見積依頼を通知した後、見積依頼先メーカのＰＣ（４）に見積金額入力画面のデータを送信し、完了した見積に対応するコンピュータシステムを構成する部品のメーカに課金する。【選択図】    図１
2007034361.tif 000002
【特許請求の範囲】
【請求項１】
処理手段、記録手段、通信手段を備え、コンピュータシステムの構成を補助するコンピュータシステム構成装置であって、
前記記録手段が、前記コンピュータシステムを構成する部品の情報と、前記部品を供給するメーカの情報とを有し、
前記処理手段が、
前記通信手段を介して販売会社のコンピュータから、前記部品の仕様を指定する情報と前記メーカを指定する情報とを含む第１の情報を受信し、
前記部品の情報を用いて、前記第１の情報に合致するコンピュータシステムの構成情報を決定し、決定された前記構成情報を、前記通信手段を介して前記販売会社のコンピュータに送信し、
前記通信手段を介して前記販売会社のコンピュータから、前記第１の情報に合致する前記コンピュータシステムのうち、見積対象とするコンピュータシステムを指定する情報と見積依頼先メーカとを指定する情報を含む第２の情報を受信し、
前記見積依頼先メーカの担当者宛てに見積依頼を通知した後、前記見積依頼先メーカのコンピュータからの要求を受けて、前記見積依頼先メーカのコンピュータにメーカ用見積金額入力画面のデータを送信し、
前記メーカ用見積金額入力画面を介して見積金額が入力されることによって見積が完了した場合、この完了した見積に対応する前記コンピュータシステムを構成する部品の供給メーカに対して課金を行うことを特徴とするコンピュータシステム構成装置。
【請求項２】
前記販売会社が、二次販売会社であり、
前記見積依頼先メーカの担当者への見積依頼の前記通知が、前記見積依頼先メーカの担当者の電子メールアドレスに電子メールを送信することにより行われ、
前記処理手段が、
前記見積依頼先メーカのコンピュータからの前記見積金額が入力された後、前記見積依頼先メーカに関連する一次販売会社の担当者の電子メールアドレスに見積依頼を通知する電子メールを送信し、前記一次販売会社のコンピュータからの要求を受けて、前記一次販売会社のコンピュータに一次販売会社用見積金額入力画面のデータを送信し、
前記一次販売会社用見積金額入力画面を介して見積金額が入力されることによって見積が完了した場合、この完了した見積に対応する前記コンピュータシステムを構成する部品の供給メーカに対して課金を行うことを特徴とする請求項１に記載のコンピュータシステム構成装置。
【請求項３】
前記メーカが、コンピュータメーカ又はコンピュータの周辺機器メーカであり、
前記処理手段が、
前記第１の情報が前記周辺機器メーカを含む場合、
前記第１の情報に合致する前記コンピュータシステムの構成部品の一部を、前記周辺機器メーカが供給する部品で置換して得られる構成情報を生成した後、前記販売会社のコンピュータに送信することを特徴とする請求項１又は２に記載のコンピュータシステム構成装置。
【請求項４】
前記処理部が、
前記一次販売会社のコンピュータから登録依頼を受けて、前記一次販売会社の情報を前記記録部に一時的に記録し、前記メーカの管理者に登録依頼の電子メールを送信し、
前記メーカのコンピュータから、前記一次販売会社の登録を許可する指示を受信した後、一時的に記録した前記一次販売会社の情報を持続的に記録し、
前記二次販売会社のコンピュータから登録依頼を受けて、前記二次販売会社の情報を前記記録部に一時的に記録し、前記一次販売会社の管理者に登録依頼の電子メールを送信し、
前記一次販売会社のコンピュータから、前記二次販売会社の登録を許可する指示を受信した後、一時的に記録した前記二次販売会社の情報を持続的に記録することを特徴とする請求項１〜３の何れかの項に記載のコンピュータシステム構成装置。
【請求項５】
通信手段を介して販売会社のコンピュータから、コンピュータシステムを構成する部品の仕様を指定する情報と部品を供給するメーカを指定する情報とを含む第１の情報を受信する第１ステップと、
記録手段に記録された前記コンピュータシステムを構成する部品の情報を用いて、前記第１の情報に合致するコンピュータシステムの構成情報を決定し、決定された前記構成情報を、前記通信手段を介して前記販売会社のコンピュータに送信する第２ステップと、
前記通信手段を介して前記販売会社のコンピュータから、前記第１の情報に合致する前記コンピュータシステムのうち、見積対象とするコンピュータシステムを指定する情報と見積依頼先メーカを指定する情報とを含む第２の情報を受信する第３ステップと、
前記見積依頼先メーカの担当者宛てに見積依頼を通知した後、前記見積依頼先メーカのコンピュータからの要求を受けて、前記見積依頼先メーカのコンピュータにメーカ用見積金額入力画面のデータを送信する第４ステップと、
前記メーカ用見積金額入力画面を介して見積金額が入力されることによって見積が完了した場合、この完了した見積に対応する前記コンピュータシステムを構成する部品の供給メーカに対して課金を行う第５ステップとを含むことを特徴とするコンピュータシステム構成方法。
【発明の詳細な説明】
【技術分野】
【０００１】
本発明は、従来の販売系列を維持したまま、コンピュータシステムの構成、比較及び見積依頼を容易に行うことができるコンピュータシステム構成装置及び構成方法に関する。
【背景技術】
【０００２】
近年、大型汎用コンピュータやオフィスコンピュータなどの大型マシンを除いて、コンピュータは統一された規格、オープンプラットフォームのもとで提供されており、システムインテグレータ（以下、ＳＩと記す）にとってもエンドユーザ（法人、個人など）にとっても、システム構成において多くの選択肢が用意されている。従って、コストが安く、十分な保守が提供されるならば、どのメーカのコンピュータシステムであってもよいというエンドユーザも増えているが、実際にはエンドユーザ自身がシステムを構成することは困難であり、専門家に依頼することになる。しかし、コンピュータ関連の情報が膨大にあふれ過ぎており、それを効率的に整理する時間も手段もないために、専門家であるＳＩでも身近な情報にのみ基づいてコンピュータシステムの構成を行わなければならないのが現状である。このため、ＳＩの負担を軽減するために種々の手段が提案されている。
【０００３】
例えば、下記特許文献１〜３には、コンピュータシステムの構成作業を支援する手段、製品情報を提供するシステムなどが開示されている。また、下記特許文献４には、機器メーカと販売店との間の販売手順を支援するシステムが開示されている。
【特許文献１】特開２００２−３２６３１号公報
【特許文献２】特開２００４−２５９２２６号公報
【特許文献３】特開２００５−１８６４１号公報
【特許文献４】特開２００１−３３１５０５号公報
【発明の開示】
【発明が解決しようとする課題】
【０００４】
上記特許文献１〜３では、システム構成を比較的容易に行うことはできるが、異なるコンピュータメーカのコンピュータをベースとして構成した複数のシステムを容易に比較することはできない。
【０００５】
また、エンドユーザに安価なシステムを提供するには、コンピュータメーカが提供するコンピュータシステムにおいて、構成部品の一部を周辺機器メーカの代替品で置き換えることがあるが、上記特許文献１〜３では、周辺機器メーカの代替品での置き換えを行うことができない。
【０００６】
一方、販売においては、依然として従来からのメーカ系列が残っており、Ａメーカの系列のＳＩであれば、Ａメーカのコンピュータシステムを提供し、Ｂメーカの系列のＳＩであれば、Ｂメーカのコンピュータシステムを提供するということが主に行われている。しかし、上記特許文献４に開示されているシステムは、メーカ、その一次販売会社、さらに二次販売会社からなる従来の販売系列を維持して、ＳＩが見積を得ることが可能なシステムにはなっていない。
【０００７】
従って、本発明の目的は、既存の販売系列を維持することができ、コンピュータシステム構成の一部を周辺機器メーカの代替品と置換することができ、且つコンピュータシステム構成の比較を容易に行うことができるコンピュータシステム構成装置及び構成方法を提供することにある。
【課題を解決するための手段】
【０００８】
本発明の目的は、以下の手段によって達成される。
【０００９】
即ち、本発明に係るコンピュータシステム構成装置は、処理手段、記録手段、通信手段を備え、コンピュータシステムの構成を補助するコンピュータシステム構成装置であって、前記記録手段が、前記コンピュータシステムを構成する部品の情報と、前記部品を供給するメーカの情報とを有し、前記処理手段が、前記通信手段を介して販売会社のコンピュータから、前記部品の仕様を指定する情報と前記メーカを指定する情報とを含む第１の情報を受信し、前記部品の情報を用いて、前記第１の情報に合致するコンピュータシステムの構成情報を決定し、決定された前記構成情報を、前記通信手段を介して前記販売会社のコンピュータに送信し、前記通信手段を介して前記販売会社のコンピュータから、前記第１の情報に合致する前記コンピュータシステムのうち、見積対象とするコンピュータシステムを指定する情報と見積依頼先メーカとを指定する情報を含む第２の情報を受信し、前記見積依頼先メーカの担当者宛てに見積依頼を通知した後、前記見積依頼先メーカのコンピュータからの要求を受けて、前記見積依頼先メーカのコンピュータにメーカ用見積金額入力画面のデータを送信し、前記メーカ用見積金額入力画面を介して見積金額が入力されることによって見積が完了した場合、この完了した見積に対応する前記コンピュータシステムを構成する部品の供給メーカに対して課金を行うことを特徴としている。
【００１０】
前記販売会社が、二次販売会社であり、前記見積依頼先メーカの担当者への見積依頼の前記通知が、前記見積依頼先メーカの担当者の電子メールアドレスに電子メールを送信することにより行われ、前記処理手段が、前記見積依頼先メーカのコンピュータからの前記見積金額が入力された後、前記見積依頼先メーカに関連する一次販売会社の担当者の電子メールアドレスに見積依頼を通知する電子メールを送信し、前記一次販売会社のコンピュータからの要求を受けて、前記一次販売会社のコンピュータに一次販売会社用見積金額入力画面のデータを送信し、前記一次販売会社用見積金額入力画面を介して見積金額が入力されることによって見積が完了した場合、この完了した見積に対応する前記コンピュータシステムを構成する部品の供給メーカに対して課金を行うことができる。
【００１１】
また、前記メーカが、コンピュータメーカ又はコンピュータの周辺機器メーカであり、前記処理手段が、前記第１の情報が前記周辺機器メーカを含む場合、前記第１の情報に合致する前記コンピュータシステムの構成部品の一部を、前記周辺機器メーカが供給する部品で置換して得られる構成情報を生成した後、前記販売会社のコンピュータに送信することもできる。
【００１２】
また、前記処理部が、前記一次販売会社のコンピュータから登録依頼を受けて、前記一次販売会社の情報を前記記録部に一時的に記録し、前記メーカの管理者に登録依頼の電子メールを送信し、前記メーカのコンピュータから、前記一次販売会社の登録を許可する指示を受信した後、一時的に記録した前記一次販売会社の情報を持続的に記録し、前記二次販売会社のコンピュータから登録依頼を受けて、前記二次販売会社の情報を前記記録部に一時的に記録し、前記一次販売会社の管理者に登録依頼の電子メールを送信し、前記一次販売会社のコンピュータから、前記二次販売会社の登録を許可する指示を受信した後、一時的に記録した前記二次販売会社の情報を持続的に記録することもできる。
【００１３】
本発明に係るコンピュータシステム構成方法は、通信手段を介して販売会社のコンピュータから、コンピュータシステムを構成する部品の仕様を指定する情報と部品を供給するメーカを指定する情報とを含む第１の情報を受信する第１ステップと、記録手段に記録された前記コンピュータシステムを構成する部品の情報を用いて、前記第１の情報に合致するコンピュータシステムの構成情報を決定し、決定された前記構成情報を、前記通信手段を介して前記販売会社のコンピュータに送信する第２ステップと、前記通信手段を介して前記販売会社のコンピュータから、前記第１の情報に合致する前記コンピュータシステムのうち、見積対象とするコンピュータシステムを指定する情報と見積依頼先メーカを指定する情報とを含む第２の情報を受信する第３ステップと、前記見積依頼先メーカの担当者宛てに見積依頼を通知した後、前記見積依頼先メーカのコンピュータからの要求を受けて、前記見積依頼先メーカのコンピュータにメーカ用見積金額入力画面のデータを送信する第４ステップと、前記メーカ用見積金額入力画面を介して見積金額が入力されることによって見積が完了した場合、この完了した見積に対応する前記コンピュータシステムを構成する部品の供給メーカに対して課金を行う第５ステップとを含むことを特徴としている。
【発明の効果】
【００１４】
本発明によれば、複数のメーカのコンピュータをベースに、仕様を指定し、さらに絞り込むことによってシステム構成を容易に行うことができ、システム構成を比較することも容易になる。
【００１５】
また、メーカのコンピュータの構成部品を周辺機器メーカの製品と自動的に置換するので、エンドユーザにより安価なシステムを提案することが容易になる。
【００１６】
また、チャネル設定によって、メーカ、一次販売会社及び二次販売会社からなる従来の販売系列を維持して、見積依頼を電子メールを用いてマルチパスで行うので、構成したコンピュータシステムに対する見積作成を効率的に行う環境を提供することができる。
【００１７】
また、一次販社又は二次販社の担当者による、システム構成の開始から、絞込みを経て最終的な見積依頼に至るまでの履歴情報を、システム構成装置が記録することができ、その履歴情報はメーカにとって非常に有益な情報となる。従って、本発明によれば、メーカに販売会社の履歴情報を提供するという新たなビジネスが可能となる。
【発明を実施するための最良の形態】
【００１８】
以下、本発明に係る実施の形態を、添付した図面に基づいて説明する。図１は、本発明の実施の形態に係るコンピュータシステム構成装置を示すブロック図である。
【００１９】
図１に示したように本実施の形態に係るコンピュータシステム構成装置（以下、システム構成装置と記す）１は、内部各部の制御及び演算などを行うＣＰＵ１１と、一時記憶やワーク領域として使用されるメモリ１２と、データを持続的に記録する記録部１３と、各部の間でのデータ交換用の内部バス１４と、キーボードやマウスなどの操作部２とのインタフェースを担うインタフェース部（以下、操作Ｉ／Ｆ部と記す）１５と、ビデオ映像を表示する表示部３へのビデオ信号を出力するビデオ部１６と、通信ネットワーク７を介して通信を行う通信インタフェース部（以下、通信Ｉ／Ｆ部と記す）１７とを備えている。通信ネットワーク７は、例えばインターネットなどの公衆ネットワークである。
【００２０】
図１では、コンピュータメーカ又は周辺機器メーカ（本明細書において単にメーカと記した場合、これら両者を含む）に配置されているコンピュータ、メーカの商品を直接扱う一次販売会社（以下、一次販社と記す）に配置されているコンピュータ、一次販社を経由してメーカの商品を扱う二次販売会社（以下、二次販社と記す）に配置されているコンピュータをそれぞれ、代表的にメーカのＰＣ４、一次販社のＰＣ５、二次販社のＰＣ６で表し、それらは通信ネットワーク７に接続されている。
【００２１】
先ず、図１に示したシステム全体の動作の概要説明を通して、システム構成装置１の動作概要を説明する。
【００２２】
ＳＩである一次販社又は二次販社が、客からコンピュータシステムの構成及び見積依頼を受けた場合、一次販社の担当者であれば一次販社のＰＣ５から、二次販社の担当者であれば二次販社のＰＣ６からシステム構成装置１にアクセスし、システム構成装置１が提供するシステム構成機能を利用して、客の要望に応じたコンピュータシステム構成を設定する。システム構成装置１は、設定されたシステム構成を記録部１３に記録し、システム構成で設定された機器を供給するメーカの担当者宛てに、見積依頼を通知する電子メールを送信する。
【００２３】
見積依頼の電子メールを見たメーカの担当者は、メーカのＰＣ４からシステム構成装置１にアクセスし、システム構成装置１が提供する見積回答機能を利用して、自社が供給する機器の見積金額を入力する。システム構成装置１は、入力された見積金額を記録部１３に記録し、一次販社からの見積依頼であった場合、完成した見積毎に各メーカに対する課金情報を記録部１３に記録する。この課金情報は、システム構成装置１から各メーカへの情報提供の対価を要求するためのものであり、課金情報に基づいてメーカに請求することができる。
【００２４】
二次販社からの見積依頼であった場合には、更に一次販社による見積金額の入力が必要であり、システム構成装置１は、各一次販社の担当者宛てに、見積依頼の電子メールを送信する。見積依頼の電子メールを見た一次販社の担当者は、一次販社のＰＣ５からシステム構成装置１にアクセスし、システム構成装置１が提供する見積回答機能を利用して、自社（一次販社）の見積金額を入力する。システム構成装置１は、入力された見積金額を記録部１３に記録する。一次販社の金額入力によって見積入力が完了し、完成した見積毎に、各メーカに対する課金情報を記録部１３に記録する。
【００２５】
その後、見積依頼した一次又は二次販社の担当者は、自社のＰＣ５又は６からシステム構成装置１にアクセスし、システム構成装置１が提供するホールド確認機能を利用して、メーカ、一次販社による回答状況（見積金額の入力状況）を確認し、全ての金額入力が完了しているシステム構成があれば、そのシステム構成を保存する指示を行うことができる。この指定を受けて、システム構成装置１が、システム構成の明細データを所定期間以上保持される保存ホールド状態に設定する。一方、システム構成装置１は、全ての金額入力が完了した後、所定の期間以内に保存ホールドが指定されなかったシステム構成の情報を破棄する。
【００２６】
以上によって、ＳＩ（一次販社又は二次販社）は、従来のメーカ、一次販社、二次販社の系列を維持したまま、客からの依頼に応じたシステム構成及びその見積を効率的に行うことができる。一方、メーカは見積案件に関する情報を入手することができ、それに対して対価を支払う。
【００２７】
次に、システム構成装置１が提供する機能を具体的に説明する。図２〜５は、システム構成装置１が行う処理を示すフローチャートである。図２が、システム構成装置１の処理全体を示すフローチャートであり、図３〜５が特徴的な機能を示すフローチャートである。
【００２８】
以下において、特に断らない限り、システム構成装置１が備えているＣＰＵ１１が行う処理として記載する。また、ＣＰＵ１１は、メモリ１２上で処理を行い、必要に応じて処理結果を記録部１３に記録し、また通信Ｉ／Ｆ部１７及び通信ネットワーク７を介して、外部のＰＣ４〜６と通信する。また、メーカの情報、コンピュータメーカが提供するコンピュータシステムモデルの情報、周辺機器メーカが提供する周辺機器の情報、一次販社の情報、二次販社の情報などが、相互の関連を示す情報も含めて、予めシステム構成装置１の記録部１３（コンピュータメーカファイル１３１、周辺機器メーカファイル１３２、メーカファイル１３４、一次販社ファイル１３５、二次販社ファイル１３６、チャネルファイル１３７）に記録されていることとする。
【００２９】
（コンピュータシステム構成の設定）
まず、二次販社の担当者が、顧客からコンピュータシステム構成及び見積の依頼を受け、二次販社のＰＣ６を使用し、通信ネットワーク７を介してシステム構成装置１にアクセスした場合を説明する。
【００３０】
ステップＳ１において、ログイン画面のデータを二次販社のＰＣ６に送信し、ステップＳ２においてログイン処理を行う。例えば、システム構成装置１が各種サービスをＨＴＴＰサービスとして提供する場合、ＵＲＬを用いたアクセス方法、ユーザＩＤ及びパスワードを用いた認証方法でログイン処理を行うことができる。これらの方法は公知であるので説明を省略する。
【００３１】
ステップＳ２において、ログインを許可する場合（例えば、二次販社のＰＣ６から送信されたユーザＩＤ及びパスワードが、予め記録部１３の二次販社ファイル１３６に記録されているデータと一致する場合）、所定の画面データを二次販社のＰＣ６に送信して、ステップＳ３に移行する。ログインを許可しない場合（例えば、ユーザＩＤ及びパスワードが一致しない場合）、ユーザＩＤ及びパスワードを受信する処理を繰り返す。
【００３２】
ステップＳ３において、コンピュータシステムの構成を行う指示があったか否かを判断し、指示があった場合ステップＳ４に移行し、指示が無ければステップＳ６に移行する。コンピュータシステムの構成を行う指示は、例えば、二次販社のＰＣ６に表示された画面上の「システム構成」と表示された所定領域をマウスでクリックすることによって、二次販社のＰＣ６から、対応するコードがシステム構成装置１に送信されることで行われる。
【００３３】
ステップＳ４において、ステップＳ２でログインを許可したユーザＩＤがメーカの担当者に付与したユーザＩＤであるか否かを判断し、メーカの担当者のユーザＩＤでなければステップＳ５に移行し、メーカの担当者のＩＤであればステップＳ６に移行する。即ち、システム構成処理は、一次販社及び二次販社の担当者のみが行うことができ、メーカの担当者は行うことができない。今は、二次販社の担当者がログインしていると仮定しているので、ステップＳ５に移行することになる。
【００３４】
ステップＳ５において、コンピュータシステム構成を設定するサービスを提供するための処理を実行する。これによって、二次販社の担当者が、コンピュータシステム構成を設定することができる。ステップＳ５の処理の説明は、図３のフローチャートに従って説明する。
【００３５】
ステップＳ５１において、物件番号Ｎoを決定し、所定の画面データを二次販社のＰＣ６に送信する。物件番号Ｎoは、見積依頼を行う予定のシステム構成全体に対して一意に決定される。
【００３６】
ステップＳ５２において、二次販社のＰＣ６からの送信データを待ち受ける。二次販社のＰＣ６に表示される画面の一例を図６に示す。図６において、左上には物件番号（物件ＩＤ）として５５５５が表示され、ログインしている二次販社名及び担当者名が表示されている。「対象」の欄では、サーバ、パソコン、プリンタの中から構成対象が指定される。指定は、チェックボックスをチェックすることで行われる。「仕様種別数」の欄では、各対象に関して構成を設定する数が指定される。「対象メーカ」の欄では、「メーカ純正品のみで構成を組む」、または「周辺機器メーカ混在で構成を組む」の何れかが指定される。その下には、サーバ、パソコン、プリンタなどを供給可能なメーカのリストが表示されている。図６では、「周辺機器メーカ混在で構成を組む」ことが指定されており、周辺機器メーカ名も表示されているが、「メーカ純正品のみで構成を組む」が指定されていると、周辺機器メーカのリストは表示されない。各項目の先頭のチェックボックスまたはプルダウンメニューが設定され、「次へ」のボタンがクリックされると、設定データがシステム構成装置１に送信される。
【００３７】
ステップＳ５３において、設定データを受信し、記録部１３のコンピュータメーカファイル１３１、周辺機器メーカファイル１３２から、設定データに対応するデータを読み出し、メーカ別に各構成部品の仕様を設定するための画面データを作成し、二次販社のＰＣ６に送信する。コンピュータメーカファイル１３１、周辺機器メーカファイル１３２の一例を図１５に示す。図１５に示したように、コンピュータメーカファイル１３１には、メーカ名、対象、メーカ標準のコンピュータシステムのモデル名、型番、構成部品名、構成部品の品番、構成部品の仕様、構成部品の標準価格などが対応付けられて保存されている。同様に、周辺機器メーカファイル１３２には、メーカ名、構成部品名、構成部品の品番、置換品番、構成部品の標準価格などが保存されている。ここで「置換品番」は、置換可能なコンピュータメーカの構成部品の品番であり、「周辺機器メーカ混在で構成を組む」が指定されている場合に、置換品番を用いてコンピュータメーカのシステム構成部品を検索し、対応する周辺機器メーカの部品で自動的に置換する。
【００３８】
ステップＳ５４において、二次販社のＰＣ６からの構成部品の仕様設定に関するデータを待ち受ける。図７に、各構成部品の仕様が設定され、該当するモデル数をメーカ別に表示するための画面の一例を示す。図７では、サーバを対象として、筐体、ＯＳ、ＣＰＵなどの仕様が設定され、その条件に合致するモデル数がメーカ毎に表示されている。各構成部品の仕様はプルダウンメニューで選択され、選択可能な選択肢は、記録部１３のコンピュータメーカファイル１３１に記録された情報が使用されて作成されている。尚、選択の優先順位は、優先度の高いものからＣＰＵ、メモリ、ディスクの順であることが表示されている。ここで、優先順位を変更するようにしてもよい。各仕様に合致するモデルの数を、モデルヒット数として二次販社のＰＣ６に表示するには、例えば、プルダウンメニューの選択肢が決定される毎に、その時点で選択されている全ての仕様情報を、二次販社のＰＣ６からシステム構成装置１に送信し、システム構成装置１が、記録部１３のコンピュータメーカファイル１３１、周辺機器メーカファイル１３２を用いて、受信した条件に該当するモデルを求め、その結果を組み込んだ画面データを生成し、二次販社のＰＣ６に送信することによって可能となる。図７では、ＯＳとして、「ＯＳ−Ａ」を選択した場合、メーカＡ、Ｂ共に２０の候補モデルがあることが「２０モデルヒット」の表示で示されている。さらにＣＰＵとして、対応ビットに「６４ビット」、最大搭載数として「指定しない」、必要搭載数として「１枚」を選択した場合、メーカＡには１０の候補モデル（１０モデルヒット）があり、メーカＢには８の候補モデル（８モデルヒット）があることが表示されている。モニタ、パソコンに関しても同様に仕様が選択される。また、図６の画面で２種類が選択されていれば、２種類の仕様設定が可能である。選択を完了し、「次へ」のボタンがクリックされると、仕様設定データ及び完了コードがシステム構成装置１に送信される。選択の完了は、例えば、仕様設定データ、及び完了コードを受信したか否かによって判断し、完了と判断した場合ステップＳ５５に移行する。
【００３９】
ステップＳ５５において、受信した仕様設定データを用いて、メーカ及びシステム構成の組み合せに一意の構成番号Ｎsを付与し、記録部１３に記録されているコンピュータメーカファイル１３１及び周辺機器メーカファイル１３２の中から、該当する部品データを取得し、構成番号Ｎsと対応させて記録部１３に記録する。そして、構成番号Ｎsと対応する結果を含む画面データを作成して二次販社のＰＣ６に送信し、入力を待ち受ける。このとき、二次販社のＰＣ６に表示される画面の一例を図８に示す。
【００４０】
図８では、構成番号Ｎs毎にリストされており、メーカＡのＳｅｒｖｅｒＡのシステム構成の詳細情報がポップアップ画面として重ねて表示されている。即ち、構成番号Ｎsは、メーカ名及びシステム構成名に対応する。このポップアップ画面で更に、構成の詳細を選択することができる。選択肢はプルダウンメニューとして表示される。プルダウンメニューの中から別の選択肢を選択すると、その仕様設定データが二次販社のＰＣ６からシステム構成装置１に送信される。
【００４１】
ステップＳ５６において、その仕様設定データを受信した場合、変更された構成部品で、他のシステム構成（例えば、図８のＳｅｒｖｅｒＢ、ＳｅｒｖｅｒＣ）を自動的に変更し、その結果のシステム構成に関するデータを含む画面データを作成し、再び二次販社のＰＣ６に送信し、入力を待ち受ける。その結果、図８と同様の画面であるが、詳細構成が変更された画面が表示される。ステップＳ５６及びＳ５７が、適宜繰り返された後、「次へ」のボタンがクリックされると、仕様設定データ及び完了コードがシステム構成装置１に送信される。
【００４２】
完了コードを受信した後、ステップＳ５７において、図６に示したように「周辺機器メーカ混在で構成を組む」が選択されている場合、コンピュータメーカが提供するモデルにおいて、指定されている周辺機器メーカの部品で置き換え可能な部品を全て置き換えたシステム構成データを、コンピュータメーカファイル１３１及び周辺機器メーカファイル１３２の中から読み出し、新たな構成番号Ｎsを一意に付与して、記録部１３に記録する。従って、周辺機器メーカの部品で置換する結果、同じメーカの同じ基本モデルに対して複数の構成番号Ｎsが存在することになる。そして、構成番号Ｎsと対応する結果を含む画面データを作成して二次販社のＰＣ６に送信し、入力を待ち受ける。その結果、二次販社のＰＣ６に表示される画面の一例を図９に示す。
【００４３】
図９では、構成番号Ｎs毎にリストされており、メーカＡのＳｅｒｖｅｒＡのシステム構成（周辺機器メーカｇの部品で置換されている）の詳細情報がポップアップ画面として重ねて表示されている。この状態で、二次販社の担当者は、リストされたシステム構成を比較し、それらの中から見積を依頼するシステム構成を選択し、画面下部に表示された各メーカの一次販社の中から見積依頼をする販社を選択する。ここで、表示される一次販社は、予めメーカによってチャネル設定（詳細は後述）されている販社である。そして、システム構成、見積依頼を受けた客に関する情報を選択して「見積ホールド」ボタンを押すと、設定されたデータ及び見積ホールドコードがシステム構成装置１に送信される。
【００４４】
見積ホールドコードを受信した後、ステップＳ５８において、見積ホールドコードと共に受信した設定情報を記録部１３のホールド・課金ファイル１３３に記録する。図１５にホールド・課金ファイル１３３の一例を示す。図１５では、物件番号及び構成番号の組み毎に、見積ホールド、見積課金、保存ホールド、保存課金、システム構成情報、及び見積依頼担当者ＩＤが保存されている。見積ホールド、保存ホールドは状態を表すフラグである。見積ホールドは、システム構成装置１が見積ホールドコードを受信する前は初期値“０”であるが、見積ホールドコードを受信した後“１”がセットされる。保存ホールドも同様である。詳細は後述するが、見積課金、保存課金には、メーカに請求する金額が設定される。
【００４５】
次に、ステップＳ５９において、ホールド・課金ファイル１３３、チャネルファイル１３７を用いて、ステップＳ５８で受信したメーカの情報に対応するメーカの担当者を検出し、対応させて記録されているメールアドレスを取得し、そのメールアドレスに見積依頼を連絡する電子メールを送信する。図１６に、メーカファイル１３４、一次販社ファイル１３５、二次販社ファイル１３６及びチャネルファイル１３７の一例を示す。ホールド・課金ファイル１３３（図１５）の見積ホールドが“１”である行の依頼担当者ＩＤを用いて、一次販社ファイル１３５、二次販社ファイル１３６を検索し、一次又は二次販社番号を決定する。決定した一次又は二次販社番号でチャネルファイル１３７（図１６）を検索し、該当するメーカ番号を決定する。決定されたメーカ番号を用いてホールド・課金ファイル１３３のシステム構成情報を検索し、該当するメーカがあれば、決定されたメーカ番号でメーカファイル１３４（図１６）を検索して、メーカの担当者の電子メールアドレスを決定する。しかし、決定されたメーカ番号を用いてホールド・課金ファイル１３３のシステム構成情報を検索しても、該当するメーカが無ければ、その決定されたメーカ番号は使用しない。電子メールの記載内容は、本サービスにおける見積依頼であることが分かる記載であればよく、定型のテキスト文をメール本文に記載しても、定型のメールタイトルのみを用いてもよい。
【００４６】
以上で、ステップＳ５の構成設定処理を完了し、ステップＳ６に移行する。
【００４７】
その後、ステップＳ６において、見積回答の指示があったか否かを判断し、指示があった場合ステップＳ７に移行し、指示が無ければステップＳ９に移行する。
【００４８】
ステップＳ７において、ステップＳ２でログインを許可したユーザＩＤが二次販社の担当者に付与したユーザＩＤであるか否かを判断し、二次販社の担当者のユーザＩＤでなければステップＳ８に移行し、二次販社の担当者のユーザＩＤであればステップＳ９に移行する。例えば、記録部１３にログイン許可時に、ログイン情報を記録しておけば、その情報を用いて判断することができる。ここでは、二次販社の担当者がログインしているので、ステップＳ９に移行することになり、ステップＳ８の見積回答処理（詳細は後述）を行わない。
【００４９】
ステップＳ９において、ステップＳ５で設定されたシステム構成に対する、メーカ及び一次販社からの見積回答状況を確認するホールド確認の指示があったか否かを判断し、指示があった場合ステップＳ１０に移行し、指示が無ければステップＳ１２に移行する。
【００５０】
ステップＳ１０において、ステップＳ２でログインを許可したユーザＩＤがメーカの担当者に付与したユーザＩＤであるか否かを判断し、メーカの担当者のユーザＩＤでなければステップＳ１１に移行し、メーカの担当者のＩＤであればステップＳ１２に移行する。今は、二次販社の担当者がログインしていると仮定しているので、ステップＳ１１に移行することになる。ステップＳ１１の処理の詳細は、後述のステップＳ８の見積回答処理の詳細を説明した後で説明する。
【００５１】
ステップＳ１２において、ログアウトの指示の有無を判断し、ログアウトの指示があるまで、ステップＳ３〜Ｓ１１を繰り返す。
【００５２】
以上のように、本実施の形態に係るシステム構成装置１は、二次販社の担当者にコンピュータシステムの構成を可能とするサービスを提供する。また、本実施の形態に係るシステム構成装置１は、一次販社の担当者にも上記と同様に、コンピュータシステム構成を行うサービスを提供することができる。
【００５３】
（見積依頼への回答）
次に、メーカ及び一次販社の各担当者による、見積依頼への回答に関して説明する。ここでは、上記で説明したように、二次販社の担当者がステップＳ５の処理を行い、見積依頼の電子メールが系列のメーカの担当者のメールアドレスに送信され、これを見たメーカの担当者が、メーカのＰＣ４を使用し、通信ネットワーク７を介してシステム構成装置１にアクセスしたと仮定する。
【００５４】
二次販社の担当者がシステム構成装置１にログインした場合を説明したのと同様に、ステップＳ１〜Ｓ６の処理が行われる。このとき、メーカの担当者がログインしているので、ステップＳ４の処理は実行されない。
【００５５】
ステップＳ７において、ステップＳ２でログインを許可したユーザＩＤが二次販社の担当者に付与したユーザＩＤであるか否かを判断し、二次販社の担当者のユーザＩＤでなければステップＳ８に移行し、二次販社の担当者のユーザＩＤであればステップＳ９に移行する。今は、メーカの担当者がログインしているので、ステップＳ８に移行する。ステップＳ８の処理の説明は、図４のフローチャートに従って説明する。
【００５６】
ステップＳ８１において、記録部１３のホールド・課金ファイル１３３から、見積ホールドされているシステム構成のうち、ログインしているメーカの情報が含まれているシステム構成情報を取得し、画面データを作成して、メーカのＰＣ４に送信し、入力を待ち受ける。このとき、メーカのＰＣ４に表示される画面例を図１０に示す。画面の左上には、ログインしているメーカ名及び担当者名が表示され、見積依頼が構成番号Ｎs毎にリスト表示されている。メーカの担当者によって、見積入力を行うために構成番号Ｎs毎のチェックボックスが選択された後、「次へ」のボタンがクリックされると、構成番号Ｎsがシステム構成装置１に送信される。
【００５７】
ステップＳ８２において、送信された構成番号Ｎsを用いて、ホールド・課金ファイル１３３から対応するシステム構成情報を取得し、画面データを作成し、メーカのＰＣ４に送信し、入力を待ち受ける。このとき、メーカのＰＣ４に表示される画面例を図１１に示す。図１１では、構成番号Ｎs（図１１には表示されず）毎に、メーカ名、製品名、型番、数量、標準単価が表示されている。尚、図１１では、「参考原単価」、「参考仕切単価」及びそれぞれに対応する「率１」、「率２」の欄が入力された状態を示しているが、これは、後述する一次販社の担当者による入力が完了した状態であり、メーカの担当者が最初にアクセスした状態では、これらは空白で表示される。この状態で、メーカのＰＣ４において、メーカの担当者によって「参考原単価」又は対応する「率１」の何れかに数値が入力され、「完了送信」ボタンがクリックされると、構成番号Ｎsと対応する入力数値とが、完了送信コードと共に、システム構成装置１に送信される。このとき、率１＝参考原単価／標準単価と定義しておけば、参考原単価及び率１の一方が入力されると、他方は自動的に決定することができる。
【００５８】
完了送信コードを受信した後、ステップＳ８３において、受信したデータ（見積金額）を、構成番号Ｎsと対応するホールド・課金ファイル１３３のシステム構成情報に記録し、一次販社による金額入力が必要か否かを判断し、必要であると判断した場合、ステップＳ８４に移行し、必要なしと判断すればステップＳ８５に移行する。一次販社による金額入力が必要か否かを判断するには、例えば、メーカの担当者がログインしていれば必要と判断し、そうでなければ必要なしと判断すればよい。
【００５９】
ステップＳ８４において、ホールド・課金ファイル１３３から、ステップＳ８３で受信した構成番号Ｎsに対応する依頼担当者ＩＤを取得し、それに対応する二次販社番号を二次販社ファイル１３６から取得し、それに対応する一次販社番号をチャネルファイル１３７から取得し、それに対応する担当者のメールアドレスを一次販社ファイル１３５から取得し、そのメールアドレスに対して、ステップＳ５９と同様に見積依頼の電子メールを送信する。
【００６０】
ステップＳ８５において、ホールド・課金ファイル１３３に記録された見積ホールドされている情報のうち、担当者がログイン中のメーカ又は一次販社が関係しており、見積金額の入力が完了している見積依頼を検出し、その完了している見積依頼に関係しているメーカに対して課金処理を行う。例えば、客が一次販社にシステム構成、見積依頼をしている場合、一次販社がシステム構成を完了し、見積依頼を受けたメーカの担当者が金額入力を行えば、見積が完了することになり、そのメーカに対して課金処理が行われる。一方、客が二次販社にシステム構成、見積依頼をしている場合には、メーカの担当者によって金額が入力された状態では見積が完了していないので、課金処理は実行されず、その後一次販社の担当者によって見積金額の入力が成された（図１１参照）後に、課金処理が行われることになる。課金処理は、例えば、メーカの担当者によって入力された参考原単価と所定割合とを乗算した値を、ホールド・課金ファイル１３３の見積課金欄にメーカ番号と対応させて記録する。このように見積金額の入力が完了した時点でメーカに課金するのは、実際の発注に至る可能性が高くなるからである。
【００６１】
以上で、メーカ及び一次販社の担当者に、見積依頼に対して見積金額を入力させるステップＳ８の見積回答処理を終了し、ステップＳ９に移行する。
【００６２】
（ホールドの確認）
次に、メーカ及び一次販社による見積依頼への回答状況を確認するステップＳ１１での処理を、図５に示したフローチャートに従って説明する。ここでは、上記したように、二次販社の担当者がステップＳ５の処理を行い、見積依頼メールが関連するメーカの担当者のメールアドレスに送信され、これを見たメーカの担当者がステップＳ８の処理を行って見積金額を入力し、続いて一次販社の担当者のメールアドレスに見積依頼メールが送信され、これを見た一次販社の担当者がステップＳ８の処理を行って見積金額を入力し、いくつかのシステム構成の見積が完了しているとする。また、二次販社の担当者がシステム構成装置１にログインしている場合を説明する。
【００６３】
ステップＳ１１１において、ホールド・課金ファイル１３３から、見積ホールドされているシステム構成情報のうち、担当者がログインしている二次販社の情報が含まれているシステム構成情報を取得し、見積の完成している情報と合わせて画面データを作成し、二次販社のＰＣ６に送信し、入力を待ち受ける。このとき、二次販社のＰＣ６に表示される画面例を図１２に示す。画面の左上には、ログインしている二次販社名及び担当者名が表示され、物件番号（物件ＩＤ）Ｎo及び構成番号Ｎsの組み合せ毎に、見積依頼がリスト表示されている。メーカの担当者によって物件番号Ｎoのチェックボックスが選択された後、「明細へ」のボタンがクリックされると、物件番号Ｎoがシステム構成装置１に送信される。
【００６４】
ステップＳ１１２において、受信した物件番号Ｎoを用いて、ホールド・課金ファイル１３３から対応するシステム構成の情報を取得し、画面データを作成し、二次販社のＰＣ６に送信し、入力を待ち受ける。このとき、二次販社のＰＣ６に表示される画面例を図１３に示す。図１３では、１つの対象に関して構成番号Ｎs毎にリスト表示されており、「メーカ」列には、メーカ名、基本モデル名、型番が表示され、「周辺機器」列には、基本モデルの構成部品の一部を周辺機器メーカの部品で置換した場合、周辺機器メーカ名が表示されている。また、図１３では、リストの５行目のシステム構成の詳細がポップアップ画面で表示されている。これによって、販社の担当者は、システム構成、価格を容易に比較することができ、最終的に客に提案するシステム構成を選択することができる。二次販社の担当者によって、システム構成が選択、即ちリスト中のメーカ名の前にあるチェックボックスがチェックされ、「保存ホールド」ボタンがクリックされると、選択された構成番号Ｎsがシステム構成装置１に送信される。
【００６５】
ステップＳ１１３において、ホールド・課金ファイル１３３に記録されたシステム構成のうち、受信した構成番号Ｎsに該当するシステム構成を保存ホールドに設定する。即ち、図１５に示したように、該当する保存ホールドに“１”を設定する。また、見積書用のデータを作成し、二次販社のＰＣ６に送信する。このとき、二次販社のＰＣ６に表示される画面の一例を図１４に示す。これによって、二次販社の担当者は、見積書を印刷し、客に提案することができる。
【００６６】
ステップＳ１１４において、ステップＳ８５で説明した課金処理と同様に、ステップＳ１１３で保存ホールドが設定されたシステム構成に関係するメーカに課金処理を行う。課金額は、メーカ番号と対応させて保存課金欄に記録される。また、そのメーカの担当者宛てに、保存ホールドを設定した現在ログインしているユーザ（ここでは、二次販社の担当者）の情報を含めて、保存ホールドされたことを連絡する電子メールを送信する。このように保存ホールドが設定された場合にメーカに課金するのは、見積金額の入力完了時（課金される）よりも更に実際の発注に至る可能性が高くなるからである。また、メーカの担当者は、保存ホールドを設定したユーザの情報を有効に活用することができる。
【００６７】
メーカ及び一次販社の担当者による見積回答状況の確認、及び見積依頼に対する見積金額の入力を可能とするステップＳ８の見積回答処理を完了した後、ステップＳ９に移行する。
【００６８】
以上のように、システム構成装置１は、コンピュータシステム構成機能、見積依頼への回答機能、及びホールドの確認機能を提供することができる。見積ホールド、保存ホールドによって記録される課金情報は、適宜または定期的に集計されて、各メーカに費用請求されることになる。
（チャネル設定）
次に、システム構成装置１が提供するチャネル設定機能、即ち、メーカ、一次販社、二次販社の情報（担当者、管理者情報を含む）の登録処理に関して説明する。
【００６９】
処理の流れは、メーカを最上位層とし、一次販社をメーカの下位層に、二次販社を一次販社の下位層にそれぞれ位置付け、下位層から上位層に登録を依頼し、これを受けて上位層が下位層に関してチャネル設定を行う。これらの処理は、システム構成装置１を介して行われる。以下に、具体的に説明する。
【００７０】
予めメーカ情報（担当者、管理者の情報を含む）が、記録部１３のメーカファイル１３４に記録される。この記録処理は、例えばシステム構成装置１を管理している者が行う。このとき、メーカの担当者及び管理者の情報として、少なくとも電子メールアドレスを、メーカ情報、例えば、メーカ名、メーカ番号と対応させて記録しておく。
【００７１】
例えば、一次販社が登録する場合、一次販社のＰＣ５からシステム構成装置１にアクセスし、ユーザＩＤ、パスワードの設定登録を行った後、所定の画面で、自社（一次販社）の情報（担当者、電子メールアドレス、系列上位のメーカ名など）を入力し、例えば「チャネル設定要求」ボタンをクリックする。これによって、入力されたデータ及びチャネル設定要求コードが一次販社のＰＣ５からシステム構成装置１に送信される。
【００７２】
システム構成装置１は、一次販社のＰＣ５から受信したデータを一次販社ファイルに一時的に記録する。次に、システム構成装置１は、一次販社から受信したデータ中のメーカ情報に対応する、メーカの管理者の電子メールアドレスを、メーカファイル１３４から取得し、取得したアドレスにチャネル設定依頼を通知する電子メールを送信する。
【００７３】
メーカの管理者は、チャネル設定依頼の電子メールを見た後、メーカのＰＣ４からシステム構成装置１にアクセスし、チャネル設定画面から一次販社に対してチャネル設定を行う。即ち、システム構成装置１が提供する、上記した一連のサービスの対象として、一次販社を設定する。
【００７４】
チャネル設定画面では、例えば、あるメーカに対して複数の一次販社がチャネル設定を依頼している場合、未設定の一次販社を全てリスト表示し、メーカの管理者が各一次販社に対して設定を行うようにすることができる。メーカの管理者によるチャネル設定が成されると、システム構成装置１は、先に一次販社ファイル１３５に一時的に記録された一次販社の情報を持続的に記録し、チャネルファイル１３７にメーカ番号と一販社番号とを対応させて記録する。これによって、この一次販社は、システム構成装置１が提供する一連のサービス体系の中に組み込まれることになる。
【００７５】
また、二次販社がチャネル設定を依頼する場合には、二次販社のＰＣ６からシステム構成装置１にアクセスし、ユーザＩＤ、パスワードの設定登録を行った後、所定の画面で、自社（二次販社）の情報（担当者、電子メールアドレス、系列上位の一次販社名など）を入力し、「チャネル設定要求」ボタンをクリックする。これによって、入力されたデータ及びチャネル設定要求コードが二次販社のＰＣ６からシステム構成装置１に送信される。
【００７６】
システム構成装置１は、二次販社のＰＣ６から受信したデータを二次販社ファイル１３６に一次的に記録する。次に、システム構成装置１は、二次販社のＰＣ６から受信したデータ中の一次販社情報に対応する、一次販社の管理者の電子メールアドレスを、一次販社ファイル１３５から取得し、取得したアドレスにチャネル設定依頼を通知する電子メールを送信する。
【００７７】
一次販社の管理者は、チャネル設定依頼の電子メールを見た後、一次販社のＰＣ５からシステム構成装置１にアクセスし、チャネル設定画面から二次販社に対するチャネル設定を行う。一次販社の管理者によるチャネル設定が成されると、システム構成装置１は、二次販社ファイル１３６に一時的に記録されていた二次販社の情報を持続的に記録し、チャネルファイル１３７に一次販社番号と二次販社番号とを対応させて記録する。これで、この二次販社は、システム構成装置１が提供する一連のサービス体系の中に組み込まれることになる。
【００７８】
以上によって、メーカ、一次販社、二次販社からなる系列に関する情報が記録部１３に記録され、システム構成装置１のサービスにおいて、情報が流れるチャネルが決定される。
【００７９】
以上において、本発明の実施の形態に関して説明したが、これに限定されるものではなく、図２〜５に示したフローチャートを種々変更することができ、図６〜１４と異なる画面を用いてもよい。また、図１５、１６に示した各ファイルと異なる構造のファイルを用いることもでき、種々の情報をデータベースとして記録してもよい。
【００８０】
また、コンピュータメーカのコンピュータシステムの構成部品と、置換可能な周辺機器メーカの部品とを対応させる情報として、周辺機器メーカファイルに「置換品番」を持たせる場合を説明したが、これに限定されず、両者を関連付ける情報を保持することができれば、別の方法であってもよい。
【００８１】
また、チャネル設定方法は、上記した方法に限定されず、メーカ、一次販社、二次販社の系列に関する情報と、各担当者への連絡先に関する情報を記録できる方法であればよい。従って、システム構成装置の管理者が全てのチャネル設定を行ってもよく、システム構成装置を介さずに、チャネル設定を行ってもよい。
【００８２】
また、見積、チャネル設定の依頼を電子メールを介して連絡する場合を説明したが、これに限定されない。相手の担当者に依頼を通知できればよく、携帯電話専用のメール送信、ＦＡＸ送信、電話による音声での連絡などであってもよい。その場合、電子メールアドレスの代りに各担当者の携帯電話用メールアドレス、ＦＡＸ番号、電話番号を記録しておき、公知の方法で自動的に連絡できるようにしておけばよい。
【００８３】
また、メーカのみを対象として課金を行う場合を説明したが、これに限定されず、二次販社からの見積依頼の場合、見積が完了したシステム構成に関係するメーカ及び一次販社に対して、それぞれ所定の割合で課金してもよい。
【００８４】
また、メーカ、一次販社、二次販社の３階層に限らず、４階層以上の流通系列を対象としてもよい。
【００８５】
また、ステップＳ５のコンピュータシステム構成を設定する処理は、一次販社及び二次販社の担当者のみが行うことができ、メーカの担当者は行うことができない場合を説明したが、これに限定されず、任意のユーザがシステム構成処理までは行うことができるようにしてもよい。例えば、ステップＳ１においてゲスト用のユーザＩＤでのログインを許可し、ステップＳ５のシステム構成設定処理を許可してもよい。その場合、見積依頼する時点で、正式ユーザＩＤ、パスワードの入力を要求するようにすればよい。
【００８６】
また、対象品はコンピュータシステムに限定されず、商品を構成要素が、ある程度標準化されており、複数のメーカによって製造され、且つ複数の販売会社によって取り扱われる商品であれば、対象とすることができる。
【図面の簡単な説明】
【００８７】
【図１】本発明の実施の形態に係るシステム構成装置の概略構成を示すブロック図である。
【図２】本発明の実施の形態に係るシステム構成装置が行う処理の全体を示すフローチャートである。
【図３】本発明の実施の形態に係るシステム構成装置が行うシステム構成設定処理を示すフローチャートである。
【図４】本発明の実施の形態に係るシステム構成装置が行う見積回答処理を示すフローチャートである。
【図５】本発明の実施の形態に係るシステム構成装置が行うホールド確認処理を示すフローチャートである。
【図６】一次販社または二次販社のＰＣに表示される画面の一例を示す図である。
【図７】一次販社または二次販社のＰＣに表示される画面の一例を示す図である。
【図８】一次販社または二次販社のＰＣに表示される画面の一例を示す図である。
【図９】一次販社または二次販社のＰＣに表示される画面の一例を示す図である。
【図１０】メーカまたは一次販社のＰＣに表示される画面の一例を示す図である。
【図１１】メーカまたは一次販社のＰＣに表示される画面の一例を示す図である。
【図１２】一次販社または二次販社のＰＣに表示される画面の一例を示す図である。
【図１３】一次販社または二次販社のＰＣに表示される画面の一例を示す図である。
【図１４】一次販社または二次販社のＰＣに表示される画面の一例を示す図である。
【図１５】コンピュータファイル、周辺機器メーカファイル、ホールド・課金ファイルの一例を示す図である。
【図１６】メーカファイル、一次販社ファイル、二次販社ファイル、チャネルファイルの一例を示す図である。
【符号の説明】
【００８８】
１      コンピュータシステム構成装置
２      操作部
３      表示部
４      メーカのＰＣ
５      一次販社のＰＣ
６      二次販社のＰＣ
７      通信ネットワーク
１１    ＣＰＵ
１２    メモリ
１３    記録部
１４    内部バス
１５    操作部インタフェース部（操作Ｉ／Ｆ部）
１６    ビデオ部
１７    通信インタフェース部（通信Ｉ／Ｆ部）
１３１  コンピュータメーカファイル
１３２  周辺機器メーカファイル
１３３  ホールド・課金ファイル
１３４  メーカファイル
１３５  一次販社ファイル
１３６  二次販社ファイル
１３７  チャネルファイル
【図１】
2007034361.tif 000003
【図２】
2007034361.tif 000004
【図３】
2007034361.tif 000005
【図４】
2007034361.tif 000006
【図５】
2007034361.tif 000007
【図６】
2007034361.tif 000008
【図７】
2007034361.tif 000009
【図８】
2007034361.tif 000010
【図９】
2007034361.tif 000011
【図１０】
2007034361.tif 000012
【図１１】
2007034361.tif 000013
【図１２】
2007034361.tif 000014
【図１３】
2007034361.tif 000015
【図１４】
2007034361.tif 000016
【図１５】
2007034361.tif 000017
【図１６】
2007034361.tif 000018